(57)【要約】【課題】樹脂製の筆毛部の各筆毛を細く、表面および先端を丸くし、さらに筆毛部全体の腰の強さを硬すぎず柔らかすぎない適正なものにして、化粧料を塗布し易くかつ塗布面を傷めない化粧料塗布具を提供する。【解決手段】第1の樹脂製の筆軸30の先端に、第2の樹脂製の筆毛部40を取着した化粧料塗布具で、筆毛部40を、筆軸30先端に取着される基端部42と、基端部42前端面から前方に延出する複数本の筆毛44との樹脂の一体成形体で構成し、各筆毛44を、横断面略円形の先細テーパ形状で先端が丸い形状にする。また、太い筆毛44aと細い筆毛44bとを混在させる。化粧料を塗布する際の筆毛部40全体の腰の強さが硬すぎない適度の軟らかさをもち、操作性に優れ、唇や皮膚等を傷つけることもない。【選択図】図４
2010253045.tif 000002
【特許請求の範囲】
【請求項１】
第１の樹脂製の筆軸の先端に、該筆軸と同軸状に前記第１の樹脂より軟らかい第２の樹脂製の筆毛部が取着一体化された化粧料塗布具であって、前記筆毛部は、前記筆軸先端に取着される基端部と、前記基端部の前端面から前方に延出する複数本の筆毛とを備えた樹脂の一体成形体として構成されるとともに、前記各筆毛は、横断面略円形で、先端側ほど細いテーパ形状で、先端に丸みが設けられたことを特徴とする化粧料塗布具。
【請求項２】
前記筆毛部には、太い筆毛と細い筆毛とが混在することを特徴とする請求項１に記載の化粧料塗布具。
【請求項３】
前記筆毛部には、太い筆毛と細い筆毛とが略均等に分布することを特徴とする請求項２に記載の化粧料塗布具。
【請求項４】
前記筆毛部の外側寄りに太い筆毛が配置され、その内側寄りに細い筆毛が配置されたことを特徴とする請求項２に記載の化粧料塗布具。
【請求項５】
前記筆毛部の外側寄りに細い筆毛が配置され、その内側寄りに太い筆毛が配置されたことを特徴とする請求項２に記載の化粧料塗布具。
【発明の詳細な説明】
【技術分野】
【０００１】
本発明は、筆軸の先端に筆毛部が取着一体化された構造で、リップグロス塗布具，液体口紅塗布具，アイライナー，エナメル塗布具等の液体化粧料を塗布する化粧料塗布具に係り、特に、多数本の筆毛を備えた筆毛部が樹脂の一体成形体で構成された化粧料塗布具に関する。
【背景技術】
【０００２】
下記特許文献１には、リップグロス塗布具として、筆軸の先端に、ブリッスルと称される非常に細い樹脂製の筆毛を結束一体化した筆毛部を口金によってカシメ固定した構造が開示されている。
【０００３】
また、下記特許文献２，３には、エナメルなどの液体化粧料を塗布するための化粧料塗布具として、樹脂製の筆軸の先端に、多数本の筆毛からなる筆毛部を一体成形した構造が開示されている。
【先行技術文献】
【特許文献】
【０００４】
【特許文献１】特開２００３−１６９７１３
【特許文献２】実開平６−１３７１４
【特許文献３】特開２００４−１９６３７１
【発明の概要】
【発明が解決しようとする課題】
【０００５】
しかし、前記特許文献１では、筆毛を製造する工程、筆毛を結束一体化して筆毛部を製造する工程が必要な分、どうしても化粧料塗布具が高価格となるという問題（第１の問題）があった。
【０００６】
また、前記特許文献２，３では、筆軸先端に筆毛部を樹脂で一体成形したので、材料費および製造工程数の低減により、化粧料塗布具を低価格で提供できるものの、主にエナメルを爪に塗布するための塗布具として説明されているため、ある程度の腰の強さを必要とする筆毛部（筆毛）を比較的硬い樹脂で構成する筆軸に一体成形する意義がある。しかし、リップグロスを塗布する筆毛部（筆毛）としては、腰が硬すぎるし、筆毛は、非常に太く、横断面矩形や三角形で構成され、さらに各筆毛の先端部が角張っている。このため、リップグロスを塗布する際に唇を傷つけるおそれがあるという別の問題（第２の問題）があって、到底採用できるものではない。
【０００７】
そこで、発明者は、比較的軟らかい樹脂で成形した筆毛部を、比較的硬い樹脂で構成した筆軸の先端に取着すれば、材料費が安価で、筆毛の製造工程が簡略化される分、塗布具を低価格化できる（第１の問題点を解消できる）し、軟らかい樹脂製の筆毛は唇を傷めないし、筆軸は比較的硬い樹脂で構成するので、塗布具としての良好な操作性を保持できると考えた。さらに、筆毛部を構成する各筆毛を、特許文献２，３の場合よりも細くて、しかも横断面略円形で先端を丸く構成すれば、塗布する際に唇を傷めるおそれが確実に回避される（第２の問題を解消できる）と考えた。
【０００８】
そして、発明者は、試作品を作り、その効果を検証した結果、前記した第１，第２の問題に対して有効であることが確認された。
【０００９】
また、発明者が新たな化粧料塗布具（筆毛部）の開発を進める課程で、比較的軟らかい樹脂で筆毛部を成形したとしても、筆毛部の各筆毛を全て同一の太さに構成した場合には、以下の新たな問題が提起された。即ち、各筆毛が太すぎると、筆毛部全体の腰が硬すぎてリップグロスの塗布はし易いが、唇を傷めるおそれがある。逆に、各筆毛が細すぎると、筆毛部全体の腰が軟らかすぎて、唇を傷めることは無くなるものの、リップグロスの塗布がし難いという、相反する問題（第３の問題）が発生した。
【００１０】
そこで、発明者は、細い筆毛と太い筆毛を混在させれば、リップグロスの塗布がし易くかつ唇を傷めることもない、適切な筆毛部の腰の強さが得られる（第３の問題を解消できる）のではないか、と考えた。
【００１１】
そして、発明者は、試作品を作り、その効果を検証した結果、前記した第３の問題に対して有効であることが確認されたので、このたびの出願に至ったものである。
【００１２】
本発明は、前記した従来技術の問題点および発明者の前記した知見に鑑みてなされたもので、その第１の目的は、筆軸先端に取着される樹脂製の筆毛部を構成する各筆毛の表面および先端を丸く形成することで、化粧料を塗布する際に塗布面を傷めることのない化粧料塗布具を提供することである。また、その第２の目的は、筆毛部に太い筆毛と細い筆毛とを混在させることで、筆毛部全体の腰の強さが硬すぎずかつ柔らかすぎない適正なものとなって、液体化粧料を塗布し易くかつ塗布面を傷めることもない化粧料塗布具を提供することである。
【課題を解決するための手段】
【００１３】
前記第１の目的を達成するために、請求項１に係る化粧料塗布具においては、  第１の樹脂製の筆軸の先端に、該筆軸と同軸状に前記第１の樹脂より軟らかい第２の樹脂製の筆毛部が取着一体化された化粧料塗布具であって、前記筆毛部を、前記筆軸先端部に取着される基端部と、前記基端部の前端面から前方に延出する複数本の筆毛とを備えた樹脂の一体成形体として構成するとともに、前記各筆毛を、横断面略円形で、先端側ほど細いテーパ形状で、先端に丸みを設けた形状に構成した。
【００１４】
（作用）基端部と筆毛を備えた筆毛部を樹脂で成形することは容易で、筆毛部を筆軸の先端に取着する作業も容易で、材料費が安価な上に、筆毛の製造工程も簡略化される分、塗布具を低価格化できる。即ち、前記した第１の問題が解消される。
【００１５】
また、柄の部分である筆軸は、ある程度硬い樹脂で構成されている方が、塗布具を操作する上で望ましい。一方、唇や皮膚等に化粧料を塗布する部位である筆毛部（筆毛）は、唇や皮膚等を傷つけないためには、ある程度軟らかい樹脂で構成されている方が望ましい。このため、筆軸は、ポリプロピレン，ＰＢＴ，ＰＯＭ，比較的硬いＰＡ（ナイロン）等のある程度硬い樹脂（第１の樹脂）で構成し、筆毛部（筆毛）は、ポリエチレン，比較的軟らかいＰＡ（ナイロン），ＰＥＴ，エラストマー等のある程度軟らかい樹脂（第２の樹脂）で構成することが望ましい。
【００１６】
そして、ある程度軟らかい樹脂で構成された筆毛部における筆毛は、単に細いだけではなく、横断面略円形で、先端側ほど細いテーパ形状で、先端に丸みが設けられているので、使用者の唇や皮膚等を傷つけることがない。即ち、前記した第２の問題が解消される。なお、筆毛部（筆毛）がある程度軟らかい樹脂で構成されているとしても、筆軸がある程度硬い樹脂で構成されることで、塗布具の操作性が低下することもない。
【００１７】
前記第２の目的を達成するために、請求項２においては、請求項１に記載の化粧料塗布具において、前記筆毛部には、太い筆毛と細い筆毛とが混在するように構成した。
【００１８】
（作用）細い筆毛は、腰が軟らかいため、輪郭を描き難い等、化粧料を塗布しにくい（操作性に劣る）が、唇や皮膚等の塗布面を傷めない。一方、太い筆毛は、腰が硬いため、唇や皮膚等の塗布面を傷めるおそれがあるが、輪郭を描き難い等、化粧料を塗布し易い。このため、筆毛部における筆毛としては、太い筆毛と細い筆毛とを混在させ、しかもその割合を調整することで、筆毛部（筆毛全体）の腰の強さを変えることができる。即ち、化粧料を塗布する塗布具の操作性と、唇や皮膚等の塗布面を傷めない優しさとのいずれを主とするかによって、混在させる太い筆毛と細い筆毛の割合いを調整して、筆毛全体の腰の強さを適切なものにできる。即ち、前記した第３の問題が解消される。
【００１９】
請求項３においては、請求項２に記載の化粧料塗布具において、前記筆毛部には、太い筆毛と細い筆毛とが略均等に分布するように構成した。
【００２０】
（作用）腰の軟らかい細い筆毛と腰の硬い太い筆毛が略均等に分布するので、筆毛部（筆毛全体）の腰の強さが、軟らかすぎることも硬すぎることもない適度なものとなる。
【００２１】
請求項４においては、請求項２に記載の化粧料塗布具において、前記筆毛部の外側寄りに太い筆毛を配置し、その内側寄りに細い筆毛を配置するように構成した。
【００２２】
（作用）筆毛部（筆毛全体）の外側寄りが腰の強い筆毛（太い筆毛）で構成されているため、化粧料を塗布する際には、筆毛部（筆毛全体）を塗布面に押し付けても筆毛部（筆毛全体）は必要以上に変形しない。
【００２３】
請求項５においては、請求項２に記載の化粧料塗布具において、前記筆毛部の外側寄りに細い筆毛を配置し、その内側寄りに太い筆毛を配置するように構成した。
【００２４】
（作用）筆毛部（筆毛全体）の外側寄りが腰の弱い筆毛（細い筆毛）で構成されているため、化粧料を塗布する際には、主に筆毛部（筆毛全体）の外側寄りの腰の軟らかい筆毛が唇や皮膚の等の塗布面に当たる。
【発明の効果】
【００２５】
以上の説明から明らかなように，請求項１に関わる化粧料塗布具によれば，材料費が安価で、筆毛の製造工程が簡略化される分、塗布具を低価格で提供できる。
【００２６】
また、軟らかい樹脂製の筆毛を単に細いだけでなく、横断面略円形の先細テーパ形でしかも先端を丸くしたので、塗布する際に唇や皮膚等の塗布面を傷めるおそれが確実に回避されるし、筆軸を比較的硬い樹脂で構成することで、塗布具としての操作性にも優れ、スムーズな化粧料の塗布も可能となる。
【００２７】
請求項２によれば、混在させる太い筆毛と細い筆毛の割合いを調整して、筆毛全体の腰の強さを変えることができるので、塗布具の操作性と唇や皮膚等を傷めない優しさの双方の特性を考慮した望ましい筆毛全体の腰の強さを選択することで、使用者の種々のニーズに合致する化粧料塗布具を提供できる。
【００２８】
請求項３によれば、筆毛全体の腰の強さが軟らかすぎることも硬すぎることもない適度なものとなって、化粧料を塗布する塗布具の操作性と唇や皮膚等の塗布面を傷めるおそれのない優しさの双方の特性を併せ持つ化粧料塗布具が得られる。
【００２９】
請求項４によれば、化粧料を塗布する際に、筆毛全体が塗布面に倣った形状に適度に変形するものの、必要以上に変形しないため、それだけ輪郭を描きやすい等、化粧料の塗布が容易となる。
【００３０】
請求項５によれば、化粧料を塗布する際に、主に筆毛全体の外側寄りの腰の軟らかい筆毛が唇や皮膚等の塗布面に当たるため、それだけ唇や皮膚が傷つきにくい。
【図面の簡単な説明】
【００３１】
【図１】本発明に係る化粧料塗布具であるリップグロス塗布具の第１の実施例の縦断面図である。
【図２】同リップグロス塗布具の要部分解断面図である。
【図３】同リップグロス塗布具の要部である筆毛部の側面図である。
【図４】同筆毛部の拡大底面図（筆毛部を正面から見た図）である。
【図５】同筆毛部を射出成形する金型の縦断面図である。
【図６】同筆毛部の筆毛成形用分割金型（可動側金型）の断面図（図５に示す線ＶＩ−ＶＩに沿う断面図）である。
【図７】本発明に係る化粧料塗布具であるリップグロス塗布具の第２の実施例の要部である筆毛部の拡大底面図（筆毛部を正面から見た図）である。
【図８】本発明に係る化粧料塗布具であるリップグロス塗布具の第３の実施例の要部である筆毛部の拡大底面図（筆毛部を正面から見た図）である。
【図９】本発明に係る化粧料塗布具であるリップグロス塗布具の第４の実施例の要部である筆毛部の拡大底面図（筆毛部を正面から見た図）である。
【図１０】本発明に係る化粧料塗布具であるリップグロス塗布具の第５の実施例の要部である筆毛部の拡大底面図（筆毛部を正面から見た図）である。
【図１１】本発明に係る化粧料塗布具であるリップグロス塗布具の第６の実施例の要部である筆毛部の拡大底面図（筆毛部を正面から見た図）である。
【図１２】本発明に係る化粧料塗布具であるリップグロス塗布具の第７の実施例の要部である筆毛部の拡大底面図（筆毛部を正面から見た図）である。
【図１３】本発明に係る化粧料塗布具であるリップグロス塗布具の第８の実施例の要部である筆毛部の拡大底面図（筆毛部を正面から見た図）である。
【発明を実施するための形態】
【００３２】
以下、本発明の実施の形態を実施例に基づいて説明する。
【００３３】
図１〜６は、本発明に係る化粧料塗布具の第１の実施例を示し、図１は、化粧料塗布具であるリップグロス塗布具の第１の実施例の縦断面図、図２は同リップグロス塗布具の要部分解断面図、図３は同リップグロス塗布具の要部である筆毛部の側面図、図４は同筆毛部の拡大底面図（筆毛部を正面から見た図）、図５は同筆毛部を射出成形する金型の縦断面図、図６は筆毛部の筆毛成形用分割金型（可動側金型）の断面図（図５に示す線ＶＩ−ＶＩに沿う断面図）である。
【００３４】
これらの図、特に図１，２において、符号１０は、内部にリップグロス液Ｌが収容された円筒形状の細長い化粧料容器で、その上方には、容器１０の内径より小さい内径の筆軸挿入用の口部１２が設けられ、口部１２の外周には、雄ねじ部１３が形成されて、筆軸３０後端部に一体化したキャップ３２の雌ねじ部３３が螺合できるように構成されている。
【００３５】
ポリプロピレン製の筆軸３０の軸部３６先端には、前方に開口する穴３７が設けられ、この穴３７にポリエチレン製の筆毛部４０が取着一体化されている。
【００３６】
筆毛部４０は、略円柱形状の基端部４２と、基端部４２の前端面４２ａから平行に前方に延出する多数本の細い筆毛４４が、ポリエチレン樹脂の一体成形体として構成されている。そして、筆軸３０の軸部３６先端の穴３７に筆毛部４０の基端部４２を挿入した後、筆軸３０（軸部３６）先端部の周方向複数箇所を半径方向内側に塑性変形させるダボカシメ３８により、筆毛部４０（の基端部４２）が筆軸３０に固定されている。
【００３７】
このように、柄の部分である筆軸３０は、塗布具の操作性を考慮して、ある程度硬い樹脂（ポリプロピレン）で構成され、一方、唇にリップグロスを塗布する部位である筆毛部４０（筆毛４４）は、唇を傷つけないように、ある程度軟らかい樹脂（ポリエチレン）で構成されている。
【００３８】
なお、符号４３は、基端部４２の外周面に周設されているリング状の凹条部で、後で詳しく説明するが、図５に示すように、後述する筆毛部成形用の金型５０ＡのキャビティＣ１の内周面に設けられているリング状の凸条部５２と軸方向に係合して、射出成形後の型開きの際に、筆毛部４０（の基端部４２）をキャビティＣ１に対し抜け止め保持して、成形された筆毛４４の可動側金型５０Ｂ（のキャビティＣ２）からの離型を確保するために機能する。
【００３９】
また、符号１４は、容器１０の口部１２に嵌着された可撓性に富む合成樹脂製の円筒形状の中栓１４で、容器１０内に突出する中栓１４の内側下端部寄りには、容器１０から筆軸３０を抜き出す際に筆軸３０の軸部３６や筆毛４４に付着した余分のリップグロス液Ｌを掻き落として清掃するワイパー１５が形成されている。
【００４０】
また、筆毛部４０の筆毛４４は、図３，４に拡大して示すように、略等間隔に配置された全２７本で構成されているが、何れの筆毛４４も、横断面略円形で、先端側ほど細いテーパ形状（付け根側の外径０．４ｍｍ，先端側の外径０．２ｍｍ，延出長さ１１ｍｍ）で、先端には丸みが設けられている。
【００４１】
また、各筆毛４４は、図３，４に示すように、全長９ｍｍの基端部４２の前端面（外径３．４ｍｍ）４２ａに左右方向等ピッチ（例えば、０．７ｍｍピッチ）に配置されて、上下方向等間隔（例えば、０．５ｍｍ間隔）に５列配置されている。そして、左右方向等ピッチで５本の筆毛が配置された上下方向上から１，３，５列目と、左右方向等ピッチで６本の筆毛が配置された上下方向上から２，４列目とは、筆毛４４が左右方向に半ピッチ（０．３５ｍｍ）ずれて配置されている。
【００４２】
このように、比較的軟らかい樹脂で構成された筆毛部４０における筆毛４４は、単に細いだけでなく、横断面略円形で、先端側ほど細いテーパ形状で、しかも先端には丸みが設けられているので、リップグロスを塗布する際に使用者の唇やを傷つけることがない。
【００４３】
また、筆毛部４０の筆毛４４を成形するためには、成形用の金型に非常に細い高精度の穴（筆毛を成形するための穴）を設ける必要があるが、金型に高精度の穴を穿設する加工が非常に難しいため、図５，６に示す分割金型構造が採用されている。
【００４４】
即ち、図５，６の符号５０は、筆毛部４０を射出成形する金型で、固定側金型５０Ａと、固定側金型５０Ａに対し接近離反動作（左右方向に摺動）可能な可動側金型５０Ｂで構成されている。固定側金型５０Ａ内には、筆毛部４０の基端部４２成形用の１個の円柱形状キャビティＣ１が設けられ、可動側金型５０Ｂ内には、キャビティＣ１に連通する、筆毛部４０の各筆毛４４成形用の２７個の細長いキャビティＣ２がほぼ等間隔に設けられている。固定側金型５０Ａには、樹脂注入口５１が設けられており、金型５０Ａ，５０Ｂを型締めした状態で、図５矢印に示すように、樹脂注入口５１から注入された溶融樹脂が、金型５０（５０Ａ，５０Ｂ）内のキャビティＣ１，Ｃ２に充填されるように構成されている。
【００４５】
図５におけるＰＬは、金型５０（５０Ａ，５０Ｂ）のパーティングラインを示す。金型５０内の射出成形品である筆毛部４０が冷えた段階で、可動側金型５０Ｂを固定側金型５０Ａから離間させて、成形された筆毛４４を可動側金型５０Ｂ（キャビティＣ２）から分離させる型開きを行う。成形された基端部４２側の凹条部４３がキャビティＣ１の内周面に形成されているリング状凸条部５２に係合しているため、型開きの際には、筆毛部４０（の基端部４２）が固定側金型５０Ａに抜け止め保持されて、成形された筆毛４４を可動側金型５０Ｂ（のキャビティＣ２）から確実に分離できる。その後、固定側金型５０Ａに設けられている突き出しピン（図示せず）を駆動して、筆毛部４０（の基端部４２）を金型５０Ａの開口側（図５左方向）に突き出すことで、固定側金型５０Ａから筆毛部４０（の基端部４２）を分離できる。
【００４６】
なお、可動側金型５０Ｂは、図５，６に示すように、上下方向に積層一体化された６段の分割金型５４Ａ〜５４Ｆで構成されている。分割金型５４Ａ〜５４Ｆの互いに密着する上下の側面には、それぞれ筆毛４４を縦割りした形状に整合する細い凹溝５５が形成されており、上下に対応する一対の凹溝５５，５５によって、筆毛成形用のキャビティＣ２が画成されている。即ち、分割金型５４Ａ，５４Ｂによって、図４上下方向上から１列目の５本の筆毛４４を成形する５個のキャビティＣ２１が画成され、分割金型５４Ｂ，５４Ｃによって、図４上下方向上から２列目の６本の筆毛４４を成形する６個のキャビティＣ２２が画成され、分割金型５４Ｃ，５４Ｄによって、図４上下方向上から３列目の５本の筆毛４４を成形する５個のキャビティＣ２３が画成され、分割金型５４Ｄ，５４Ｅによって、図４上下方向上から４列目の６本の筆毛４４を成形する６個のキャビティＣ２４が画成され、分割金型５４Ｅ，５４Ｆによって、図４上下方向上から５列目の５本の筆毛４４を成形する５個のキャビティＣ２５が画成されている。
【００４７】
図７〜１３は、本発明に係る化粧料塗布具の第２〜第６の実施例を示し、いずれの実施例においても、筆毛部の筆毛が、太い筆毛と細い筆毛とが混在するように構成されている。
【００４８】
まず、図７は、リップグロス塗布具の第２の実施例の要部である筆毛部の拡大底面図（筆毛部を正面から見た図）で、請求項４に対応する実施例である。
【００４９】
この実施例では、筆毛部４０Ａの筆毛が、外側寄りに配置された太い筆毛４４ａと、内側寄りに配置された細い筆毛４４ｂで構成されている。
【００５０】
細い筆毛４４ｂは、前記した第１の実施例における筆毛４４と同様、横断面略円形で、先端側ほど細いテーパ形状（付け根側の外径０．４ｍｍ，先端側の外径０．２ｍｍ，延出長さ１１ｍｍ）で、先端には丸みが設けられている。
【００５１】
一方、太い筆毛４４ａは、横断面略円形で、先端側ほど細いテーパ形状（付け根側の外径０．５ｍｍ，先端側の外径０．３ｍｍ，延出長さ１１ｍｍ）で、先端には丸みが設けられている。
【００５２】
その他の構成は、前記第１の実施例と同様であり、同一の符号を付すことで、その重複した説明は省略する。
【００５３】
この第２の実施例の塗布具では、筆毛部４０Ａを構成する筆毛全体の外側寄りが腰の強い太い筆毛４４ａで構成されていることから、リップグロスを塗布する際には、筆毛全体を塗布面に押し付けても筆毛全体が塗布面に倣った形状に適度に変形するものの、必要以上に変形しないため、それだけ輪郭を描きやすい等、スムーズにリップグロスを塗布できる。
【００５４】
図８は、リップグロス塗布具の第３の実施例の要部である筆毛部の拡大底面図（筆毛部を正面から見た図）で、請求項５に対応する実施例である。
【００５５】
この実施例の塗布具では、筆毛部４０Ｂの筆毛が、外側寄り配置された細い筆毛４４ｂと、内側寄りに配置された太い筆毛４４ａで構成されている。その他の構成は、前記第１の実施例と同様であり、同一の符号を付すことで、その重複した説明は省略する。
【００５６】
この第３の実施例の塗布具では、筆毛部４０Ｂを構成する筆毛全体の外側寄りが腰の弱い細い筆毛４４ｂで構成されているため、リップグロスを塗布する際には、主に筆毛全体の外側寄りの腰の軟らかい細い筆毛４４ｂが唇の塗布面に当たり、それだけ唇が傷つきにくい。
【００５７】
図９，１０は、リップグロス塗布具の第４，５の実施例の要部である筆毛部の拡大底面図（筆毛部を正面から見た図）である。
【００５８】
筆毛部４０Ｃ，４０Ｄを正面視する図９，１０において、筆毛は、上下方向に５列平行に配置されているが、図９に示す第４の実施例では、上下方向上から１，３，５列目に太い筆毛４４ａが配置され、上下方向上から２，４列目に細い筆毛４４ｂが配置されている。即ち、太い筆毛４４ａの列（１，３，５列目）の間に細い筆毛４４ｂの列（２，４列目）が挟まれて配置されている。
【００５９】
その他の構成は、前記第１の実施例と同様であり、同一の符号を付すことで、その重複した説明は省略する。
【００６０】
第４の実施例では、筆毛部４０Ｃを構成する筆毛全体の幅広の側面（上下の側面）に腰の硬い太い筆毛４４ａが配置されているため、図９矢印方向に筆軸３０（筆毛部４０Ｃ）を動かしてリップグロスを塗布する際には、筆毛全体を塗布面に押し付けても筆毛部４０Ｃ先端側が塗布面に倣った形状に適度に変形するものの、必要以上に変形せず、それだけ輪郭を描きやすい等、スムーズにリップグロスを塗布できる。
【００６１】
一方、図１０に示す第５の実施例では、上下方向上から１，３，５列目に細い筆毛が配置され、上下方向上から２，４列目に太い筆毛が配置されている。即ち、細い筆毛４４ｂの列（１，３，５列目）の間に太い筆毛４４ｂの列（２，４列目）が挟まれて配置されている。
【００６２】
その他の構成は、前記第１の実施例と同様であり、同一の符号を付すことで、その重複した説明は省略する。
【００６３】
第５の実施例では、筆毛部４０Ｄを構成する筆毛全体の幅広の側面（上下の側面）に腰の軟らかい細い筆毛４４ｂが配置されているため、図１０矢印方向に筆軸（筆毛部４０Ｄ）を動かしてリップグロスを塗布する際には、主に筆毛全体の外側寄りの腰の軟らかい細い筆毛４４ｂが唇（の塗布面）に当たり、それだけ唇が傷つきにくい。
【００６４】
また、腰の弱い細い筆毛４４ｂの列の間（２，４列目）に配置されている腰の強い太い筆毛４４ａが筆毛部４０Ｄ先端側（筆毛全体）の必要以上の変形を阻止するので、輪郭を描き易く、スムーズにリップグロスを塗布できる。
【００６５】
図１１は、化粧料塗布具であるリップグロス塗布具の第６の実施例の要部である筆毛部の拡大底面図（筆毛部を正面から見た図）で、請求項３に対応する実施例ある。
【００６６】
この実施例では、上下方向５列に配置された筆毛が、太い筆毛４４ａと細い筆毛４４ｂとが左右方向交互となるように配置されて、１５本の腰が硬い太い筆毛４４ａと１２本の腰の軟らかい細い筆毛４４ｂとがほぼ均等に分布した構造で、筆毛部４０Ｅを構成する筆毛全体の腰の強さが、リップグロスを塗布する塗布具の操作性の上でも、また唇を傷めない優しさの上でも、硬すぎることも柔らかすぎることもない適切なものとなっている。
【００６７】
その他の構成は、前記第１の実施例と同様であり、同一の符号を付すことで、その重複した説明は省略する。
【００６８】
図１２，１３は、化粧料塗布具であるリップグロス塗布具の第７，第８の実施例の要部である筆毛部の拡大底面図（筆毛部を正面から見た図）である。
【００６９】
図１２に示す第７の実施例の筆毛部４０Ｆでは、図６に示す第２の実施例の筆毛部４０Ａにおける横断面円形の太い筆毛４４ａが横断面楕円形で先細テーパ形状の太い筆毛４４ｃで構成されている点、図１３に示す第８の実施例の筆毛部４０Ｇでは、図７に示す第３の実施例の筆毛部４０Ｃにおける横断面円形の太い筆毛４４ａが横断面楕円形で先細テーパ形状の太い筆毛４４ｃで構成されている点が、第２，第３の実施例とそれぞれ異なっている。その他は、前記第２，第３の実施例とそれぞれ同様であり、同一の符号を付すことで、その重複した説明は省略する。
【００７０】
前記した第２，第３の実施例では、それぞれ太い筆毛４４ａが横断面円形に構成されているため、図７，８の上下左右斜めの如何なる方向に対しての筆毛４４ａの可撓性は同じである。このため、図７（図８）の上下左右斜めの何れの方向に筆毛部４０Ａ（４０Ｂ）を動かしても、筆毛部４０Ａ（４０Ｂ）における腰の強さにそれほど大きな差が無いが、第７，第８の実施例では、太い筆毛４４ｃを横断面楕円形に構成したことで、筆毛部４０Ｆ，４０Ｇを動かす方向によって筆毛全体の腰の強さが大きく違うという特徴がある。
【００７１】
即ち、第７（第８）の実施例では、筆毛部４０Ｆ，４０Ｇを構成する筆毛全体の幅広の側面を構成する（幅広の側面に沿って配置された）横断面楕円形状の筆毛４４ｃは、いずれも図１２，１３の左右方向よりも上下方向に変形し易い（上下方向よりも左右方向に変形し難い）ため、筆毛部４０Ｆ，４０Ｇを構成する筆毛全体が、図１２，１３の上下方向に変形し易く、左右方向には変形しにくい。したがって、輪郭を描くには、ある程度の腰の強さが機能する方向（図１１，１２の左右方向）に筆毛部４０Ｆ，４０Ｇを動かし、広範囲の塗布には、腰が軟らかくなる方向（図１２，１３の上下方向）に筆毛部４０Ｆ，４０Ｇを動かすことで、用途に応じて筆毛部４０Ｆ，４０Ｇの筆毛全体の腰の強さを使い分けることができる。
【００７２】
また、図１２に示す第７の実施例では、内側の細い筆毛４４ｂの外側に、横断面楕円形の太い筆毛４４ｃが配置され、リップグロスを塗布する際に、筆毛部４０Ｆを構成する筆毛全体が塗布面に倣った形状に適度に変形するものの、必要以上に変形しないため、それだけ輪郭を描きやすい等、スムーズにリップグロスを塗布できることは、前記第２の実施例（図７参照）と同様である。
【００７３】
また、図１３に示す第８の実施例では、内側の横断面楕円形の太い筆毛４４ｃの外側に細い筆毛４４ｂが配置されており、リップグロスを塗布する際には、主に筆毛部４０Ｇを構成する筆毛全体の外側寄りの腰の軟らかい細い筆毛４４ｂが唇（の塗布面）に当たるため、それだけ唇が傷つきにくいことは、前記第３実施例（図８参照）と同様である。
【００７４】
なお、前記した種々の実施例では、筆軸３０がポリプロピレン樹脂で構成され、筆毛部４０がポリエチレン樹脂で構成されているが、筆軸３０としては、ポリプロピレン樹脂以外のある程度硬い樹脂（例えばＰＢＴ，ＰＯＭ，比較的硬いＰＡ（ナイロン）等）で構成してもよいし、筆毛部４０としては、ポリエチレン以外のある程度軟らかい樹脂（例えば、ＰＥＴ，比較的軟らかいＰＡ（ナイロン），エラストマー等）で構成してもよい。
【００７５】
また、前記した実施例では、筆軸３０の先端に筆毛部４０（の基端部４２）を取着する方法の一例として、ダボカシメを説明したが、これに限られるものではなく、溶着や接着その他の公知の取着方法であってもよい。
【００７６】
また、前記した実施例では、本発明に係る化粧料塗布具をリップグロス塗布具として説明したが、液体口紅塗布具，アイライナー，エナメル塗布具等の液体化粧料を塗布する化粧料塗布具であってもよい。
【産業上の利用可能性】
【００７７】
リップグロス塗布具，液体口紅塗布具，アイライナー，エナメル塗布具のように、唇や皮膚等の傷つき易い塗布面に化粧料を塗布する化粧料塗布具に広く適用できる。
【符号の説明】
【００７８】
３０  筆軸
４０，４０Ａ，４０Ｂ，４０Ｃ，４０Ｄ，４０Ｅ，４０Ｆ，４０Ｇ  筆毛部
４２  基端部
４４  筆毛
４４ａ  太い筆毛
４４ｂ  細い筆毛
４４ｃ  横断面楕円形の太い筆毛
５０  筆毛部成形用の金型
５０Ａ  筆毛部の基端部成形用の金型（固定側金型）
５０Ｂ  筆毛部の筆毛成形用の金型（可動側金型）
【図１】
2010253045.tif 000003
【図２】
2010253045.tif 000004
【図３】
2010253045.tif 000005
【図４】
2010253045.tif 000006
【図５】
2010253045.tif 000007
【図６】
2010253045.tif 000008
【図７】
2010253045.tif 000009
【図８】
2010253045.tif 000010
【図９】
2010253045.tif 000011
【図１０】
2010253045.tif 000012
【図１１】
2010253045.tif 000013
【図１２】
2010253045.tif 000014
【図１３】
2010253045.tif 000015